(57)【特許請求の範囲】
【請求項１】
仕切り棚ユニットを上下複数段連ねて形成される間仕切り装置で保温保冷庫内を保温室と保冷室とに左右に仕切り、食品トレーを上下に隣合う仕切り棚ユニット間に抜き差し自在に差し込むと共に食品トレーの左右の一方の側部を保温室内に他方の側部を保冷室内に位置させて、食品トレーを保温保冷庫内に収容するようにした配膳車において、仕切り棚ユニットの両側に突出させて支持バーを設けると共に支持バーの各先端部にサイドバーを取り付け、サイドバーに弾性的に変位自在な係合凸部を設け、上方へ開口する受け溝を有すると共に受け溝の内側面に開口する係合穴を設けて形成される受け具を、保温保冷庫の保温室側の内壁と保冷室側の内壁にそれぞれ取り付け、上記のサイドバーを受け具の受け溝に挿入すると共に係合穴に係合凸部を脱着自在に弾性的に係合させることによって、サイドバー及び支持バーを介して受け具で仕切り棚ユニットを支持して成ることを特徴とする配膳車の間仕切り装置。
【請求項２】
連結バーの両端部にそれぞれ係合具を取り付けてサイドバーを形成し、係合具の側面に上記係合凸部を設けると共に結合用凸部を突設し、仕切り棚ユニットに設けられた上記支持バーをパイプで形成すると共に、結合用凸部を支持バーの先端部の開口内に差し込んで結合することによって、支持バーの先端部にサイドバーを取り付けて成ることを特徴とする請求項１に記載の配膳車の間仕切り装置。
【請求項３】
支持バーに位置決め孔を設け、支持バーを仕切り棚ユニットに左右に挿通すると共に位置決め孔に止めピンを差し込み、止めピンを仕切り棚ユニットに係止させることによって支持バーを仕切り棚ユニットに固定して成ることを特徴とする請求項１又は２に記載の配膳車の間仕切り装置。
【発明の詳細な説明】
【０００１】
【発明の属する技術分野】
本発明は、病院や学校等で使用される配膳車の保温保冷庫内の間仕切り装置に関するものであり、より詳しくは、間仕切り装置を構成する仕切り棚ユニットの取り付けの構造に関するものである。
【０００２】
【従来の技術】
例えば病院などにおいて各病室の患者に給食する場合、主食や副食、デザート等をそれぞれ盛り付けた食器をトレーの上に並べると共にこのトレーを配膳車内に上下複数段に積んで多数収容し、配膳車を走行させて各病室を回りながら、配膳車からトレーを取り出して患者に配達することによっておこなわれている。このような配膳車として従来から各種のものが提供されているが、最近では保温室と保冷室とを有する保温保冷庫を台車の上に設けた配膳車が使用されており、トレーの上に並べた食品を保温室で保温したり保冷室で保冷したりしながら配達することができるようになっている。
【０００３】
このような配膳車において、トレーの上に並べた食品は保温を必要とするものと保冷を必要とするものとがあるので、保温室と保冷室が隣接して形成された保温保冷庫を設け、トレーの左右の側部のうち、保温を必要とする食品を並べた一方の側部が保温室内に、保冷を必要とする食品を並べたトレーの他方の側部が保冷室内に配置されるようにトレーを保温室と保冷室の間に収容するようにしてある。
【０００４】
上記のように保温保冷庫３を保温室４と保冷室５とに仕切る必要があるが、図１２に示すように、仕切り棚ユニット１を上下に複数段連ねて形成される間仕切り装置２を保温保冷庫３内に設け、間仕切り装置２で保温保冷庫３内を左右に仕切ることによって行なうようにしてある。各仕切り棚ユニット１の下端部内にはシャッター板２１が下方へバネ付勢された状態で上下動自在に設けてあり、シャッター板２１がその下の仕切り棚ユニット１の上端に当接していることによって、間仕切り装置２で保温室４と保冷室５を気密的に仕切ることができるものである。そして、食品トレー６の保温を必要とする食品を並べた一方の側部を保温室４内に、保冷を必要とする食品を並べた他方の側部を保冷室５内に位置させるように、食品トレー６を上下の仕切り棚ユニット１，１間に差し込むことによって、食品トレー６を保温保冷庫３内に収容することができるようにしてある。このように食品トレー６を収容した状態でも、シャッター板２１の下端が食品トレー６の上面に当接していることによって、保温室４と保冷室５の間の気密は確保されるようになっている。
【０００５】
ここで、上記の間仕切り装置２を構成する各仕切り棚ユニット１の取り付けは、その両側に突出させて設けた支持バー７の各先端に断面Ｌ型のサイドバー８を取着し、各サイドバー８を保温保冷庫３の保温室４側の内壁と保冷室５側の内壁にそれぞれネジ２２で止めて固定することによって、行なわれている。このように、ネジを用いて仕切り棚ユニット１の取り付けを行なうのが一般的である（例えば、特許文献１参照）。
【０００６】
【特許文献１】
特開２０００−２３４８５５号公報
【０００７】
【発明が解決しようとする課題】
しかし、上記のようにネジ２２を用いて仕切り棚ユニット１の取り付けを行なう場合、仕切り棚ユニット１を支持しながらネジ締めを行なう必要があるなど、組み立てに手間を要するという問題があった。また配膳車のようにモーターなどの作動によって振動が常時作用しているものでは、ネジ２２が振動によって弛んで外れ易く、仕切り棚ユニット１が脱落して食品トレーを落下させたり、食品にネジ２２が混入したりするおそれがあるという問題を有するものであった。
【０００８】
本発明は上記の点に鑑みてなされたものであり、ネジを用いる必要なく、仕切り棚ユニットを容易に取り付けることができると共に、仕切り棚ユニットを強固に取り付けることができる配膳車の間仕切り装置を提供することを目的とするものである。
【０００９】
【課題を解決するための手段】
本発明の請求項１に係る配膳車の間仕切り装置は、仕切り棚ユニット１を上下複数段連ねて形成される間仕切り装置２で保温保冷庫３内を保温室４と保冷室５とに左右に仕切り、食品トレー６を上下に隣合う仕切り棚ユニット１，１間に抜き差し自在に差し込むと共に食品トレー６の左右の一方の側部を保温室４内に他方の側部を保冷室５内に位置させて、食品トレー６を保温保冷庫３内に収容するようにした配膳車において、仕切り棚ユニット１の両側に突出させて支持バー７を設けると共に支持バー７の各先端部にサイドバー８を取り付け、サイドバー８に弾性的に変位自在な係合凸部９を設け、上方へ開口する受け溝１０を有すると共に受け溝１０の内側面に開口する係合穴１１を設けて形成される受け具１２を、保温保冷庫３の保温室４側の内壁と保冷室５側の内壁にそれぞれ取り付け、上記のサイドバー８を受け具１２の受け溝１０に挿入すると共に係合穴１１に係合凸部９を脱着自在に弾性的に係合させることによって、サイドバー８及び支持バー７を介して受け具１２で仕切り棚ユニット１を支持して成ることを特徴とするものである。
【００１０】
また請求項２の発明は、請求項１において、連結バー１３の両端部にそれぞれ樹脂製の係合具１４を取り付けてサイドバー８を形成し、係合具１４の側面に上記係合凸部９を設けると共に結合用凸部１５を突設し、仕切り棚ユニット１に設けられた上記支持バー７をパイプで形成すると共に、結合用凸部１５を支持バー７の先端部の開口内に差し込んで結合することによって、支持バー７の先端部にサイドバー８を取り付けて成ることを特徴とするものである。
【００１１】
また請求項３の発明は、請求項１又は２において、支持バー７に位置決め孔１６を設け、支持バー７を仕切り棚ユニット１に左右に挿通すると共に位置決め孔１６に止めピン１７を差し込み、止めピン１７を仕切り棚ユニット１に係止させることによって支持バー７を仕切り棚ユニット１に固定して成ることを特徴とするものである。
【００１２】
【発明の実施の形態】
以下、本発明の実施の形態を説明する。
【００１３】
図１０は配膳車Ａの一例を示す斜視図、図１１は扉２４を外した状態の配膳車Ａを示す一部破断した正面図であり、車両本体２５の下面に車輪２６を設けて形成してある。車輪２６はＡＣサーボモータ等の駆動源２７によって駆動される一対の駆動輪２６ａと、首振り回動自在な操向輪２６ｂとで形成してあり、走行駆動させることができるようにしてある。車両本体２５は、下面に車輪２６を取り付けた台車２８と、両側の側面が開口部２９となったステンレス等の金属材で作製される箱状の保温保冷庫３と、この保温保冷庫３に両側の開口部２９を除いて、その前面や後面、上面、すなわち保温保冷庫３の外面に外装されるプラスチック成形品の外装パネル３０とで形成してあり、保温保冷庫３は台車２８の上に固定してある。また、車両本体２５の下端の台車２８の外周部には全周に亘ってゴム弾性を有するプラスチックで作製したバンパー３１が取り付けてあり、配膳車Ａが建物の壁面や設備・機器等にぶつかってもバンパー３１で衝撃を吸収することができるようにしてある。図１０において、３２は各種のスイッチ３３などを設けた操作パネル、３４は運転操作ハンドル、３５は作業テーブルである。
【００１４】
保温保冷庫３内は中央仕切り壁３７によって前部室３８と後部室３９とに左右（走行方向の前後）に仕切ってある。そして保温保冷庫３の両側の開口部２９にはそれぞれ４枚ずつ扉２４が取り付けてあり、４枚の扉２４のうち最も前の扉２４ａは前部室３８の保冷室５を開閉するものであって、開口部２９の前の側縁部にヒンジで枢支してあり、図１０の矢印のように開くことができるようにしてある。次の扉２４ｂは前部室３８の保温室４を開閉するものであって、中央仕切り壁３７にヒンジで枢支してあり、図１０の矢印のように開くことができるようにしてある。次の扉２４ｃは後部室３９の保冷室５を開閉するものであって、中央仕切り壁３７にヒンジで枢支してあり、図１０の矢印のように開くことができるようにしてある。次の扉２４ｄは後部室３９の保温室４を開閉するものであって、開口部２９の後の側縁部にヒンジで軸支してあり、図１０の矢印のように開くことができるようにしてある。また、図示はしていないが、この配膳車Ａには保温保冷庫３の保温室４内を加熱するためのヒータ等の加熱装置や、保冷室５内に冷風を送風するなどして冷却する冷却装置が設けてある。
【００１５】
そして、保温保冷庫３の前部室３８内と後部室３９内にそれぞれ間仕切り装置２を設けて、図１及び図２に示すように、保温保冷庫３の前部室３８内と後部室３９内を保温室４と保冷室５とに左右（走行方向の前後）に仕切るようにしてある。間仕切り装置２は、複数の仕切り棚ユニット１を上下に複数段重ねて連ねることによって形成されるものである。
【００１６】
仕切り棚ユニット１は横板４１と縦板４２とで正面視でＴ字型に形成されるものであり、縦板４２の下面にはスリット状凹部４３が下方へ開口させて設けてある。このスリット状凹部４３内にバネで下方へ弾発付勢したシャッター板２１が上下動自在に取り付けられるものである。このシャッター板２１は下端が下側に位置する仕切り棚ユニット１の上面に当接することによってスリット状凹部４３から抜けないようになっており、上下に隣合う仕切り棚ユニット１，１の間の隙間をシャッター板２１で閉じ、保温室４と保冷室５との間の空気の流通を遮断するようにしてある。
【００１７】
次に、上記のような間仕切り装置２を構成する仕切り棚ユニット１の保温保冷庫３内への取り付けについて説明する。
【００１８】
仕切り棚ユニット１は図３に示すように、縦板４２の上端面に横板４１を両側へ張り出すように取着することによって形成されるものであり、横板４１の幅方向の中央部には上方へ台形状に突出する位置決め突条４４が設けてある。また縦板４２の上端には前後方向（奥行き方向）の２箇所において左右両側面に開口する挿通孔４５が穿設してあり、この挿通孔４５に対応する位置において、横板４１の両側端部の下面にそれぞれ筒状凸部４６を設けて挿通孔４５と対向して開口するように筒孔４７が形成してある。また筒状凸部４６と縦板４２との間の位置において横板４１の下面には一対のガイド突片４８が突設してある。そして仕切り棚ユニット１の各挿通孔４５には、筒孔４７に差し込んで通した支持バー７が挿通してあり、仕切り棚ユニット１の両側に両端部を突出させた状態で支持バー７を仕切り棚ユニット１に取り付けるようにしてある。
【００１９】
ここで、支持バー７は金属の丸パイプによって形成してあり、その長手方向に沿った複数箇所に所定の一定間隔で位置決め孔１６が穿設してある。また図４は止めピン１７を示すものであり、止めピン１７はピン４９の後端に係合片５０を取着して形成してある。係合片５０はピン４９とほぼ平行な片であり、丸パイプの支持バー７の外周の一部が嵌り込むように凹湾曲する凹面部５１が形成してある。そして仕切り棚ユニット１の挿通孔４５と筒孔４７に支持バー７を挿通した後に、ガイト突片４８と筒孔４７の間の位置において、図４に示すように、ピン４９を支持バー７の位置決め孔１６に差し込むと共に凹面部５１に支持バー７の外周を嵌め合わせることによって、支持バー７に止めピン１７を外れないように取り付ける。このように支持バー７に止めピン１７を取り付けることによって、図５に示すように係合片５０が筒状凸部４６とガイド突片４８の間に係止されるものであり、支持バー７は挿通孔４５に挿通して取り付けた位置がその長手方向にずれるようなことなく、仕切り棚ユニット１に固定されることになる。
【００２０】
図６及び図７はサイドバー８を示すものであり、金属の四角パイプなどで作製される連結バー１３の両端に樹脂成形品で作製される係合具１４を取着して形成してある。係合具１４は縦片５３と縦片５３の上下にそれぞれ設けた横片５４，５４とで背面側が開口する断面コ字型に形成してあり、横片５４の先端間に一対のブリッジ片５５が架け渡して設けてある。この一対のブリッジ片５５のうち先部側のブリッジ片５５には片持ち状で弾性を有するように突片５６が突設してあり、突片５６の先端に縦片５３の背面側に突出する嵌合凸部５７が突設してある。係合具１４の縦片５３の先端部の表面は基部よりも背方へ引っ込むように一段下がった凹段部５８となっており、凹段部５８にはＵ字状の切欠部を設けることによって、片持ち状で弾性を有するように舌片５９が形成してあり、この舌片５９の表面に係合凸部９が突設してある。また縦片５３の基端部の表面には結合用凸部１５が突設してある。
【００２１】
そして連結バー１３の両端にはそれぞれ嵌合孔６０が設けてあり、図７（ａ）に示すように、この連結バー１３の端部を係合具１４の背面側の縦片５３と横片５４とブリッジ片５５とで囲まれて形成される穴部にその基端部から差し込み、連結バー１３の嵌合孔６０に嵌合凸部５７を弾性的に嵌合させることによって、図７（ｂ）のように連結バー１３の端部に係合具１４を取り付けることができるものである。このようにして連結バー１３の両端部にそれぞれ係合具１４を取り付けることによって、図６に示すようなサイドバー８を組み立てることができるものであり、連結バー１３への係合具１４の取り付けはネジ止めの必要なく容易に行なうことができるものである。
【００２２】
このサイドバー８は仕切り棚ユニット１の両側に突出している一対の支持バー７の先端間に取り付けられるものである。サイドバー８の取り付けは、サイドバー８の両端部の各係合具１４に設けた結合用凸部１５を、パイプで形成される各支持バー７の先端の開口に差し込んで結合することによって、ネジ止めの必要なく容易に行なうことができるものである。
【００２３】
一方、保温保冷庫３の保温室４と保冷室５の対向する内壁には受け具１２が取り付けてある。受け具１２は図８に示すように、基板６２の表面に断面Ｌ字型の受け板６３を設けることによって、全体として断面Ｕ字型に樹脂成形品で作製してあり、基板６２と受け板６３の間に上方へ開口する受け溝１０が凹設されるようにしてある。この受け板６３の縦片には受け溝１０の内側面及び外側面に開口する係合穴１１が設けてある。また基板６２の上端部の表面には他の箇所よりも一段低い凹段部６４が凹設してあり、この凹段部６４及び基板６２の下端にそれぞれ固定用孔６５が穿設してある。そして保温保冷庫３の内壁に受け具１２を配置すると共に固定用孔６５に通したリベット６６を保温保冷庫３の内壁面に結合させることによって、図９（ｂ）のように受け具１２を保温保冷庫３の内壁面にリベット止めで固定することができるものである。このとき、凹段部６４内にリベット６６の頭が収められて、受け溝１０の上方においてリベット６６の頭が基板６２の表面から突出しないようにしてある。
【００２４】
上記の受け具１２は、仕切り棚ユニット１を配置すべき高さに応じた上下複数段の位置において、保温保冷庫３の奥行き方向に一対ずつ取り付けてある。そして、サイドバー８の係合具１４の先端部の凹段部５８の箇所を受け具１２の受け溝１０に上方から差し込む。このとき、係合具１４に設けた係合凸部９を押さえて舌片５９を弾性的に変形させ、係合凸部９を背方へ変位させた状態で、受け具１２の受け溝１０に係合具１４を差し込むものであり、受け溝１０に係合具１４が挿入されると、図９に示すように、係合具１４の係合凸部９が舌片５９の弾撥力で前面側へ変位して受け溝１０内に開口する係合穴１１に挿入係合され、受け溝１０に係合具１４が挿入された状態に固定される。このように、受け溝１０に係合具１４を挿入すると共に係合穴１１に係合凸部９を係合させることによって、仕切り棚ユニット１の両側の各サイドバー８を受け具１２に固定することができるものであり、サイドバー８及び支持バー７を介して仕切り棚ユニット１を受け具１２によって支持して取り付けることができるものである。
【００２５】
このように仕切り棚ユニット１を取り付けるにあたって、受け溝１０への係合具１４の挿入と係合穴１１への係合凸部９の係合によって行なうことができるものであり、ビス止めを行なう必要なく、仕切り棚ユニット１の取り付けを行なうことができるものである。また、係合穴１１の外面の開口から係合凸部９を押して、係合穴１１内への係合凸部９の係合を解除することによって、受け具１２の受け溝１０から係合具１４を抜くことができるものであり、仕切り棚ユニット１の取り外しも容易に行なうことができるものである。ここで、係合具１４の先端部の凹段部５８の箇所を受け具１２の受け溝１０に挿入することによって、係合具１４の他の部分の表面と受け具１２の受け板６３の表面が面一になるようにしてある。
【００２６】
そして、同様にして上下複数段の各仕切り棚ユニット１を受け具１２で支持することによって、図２のように複数の仕切り棚ユニット１を上下複数段に重ねて連ねた間仕切り装置２を形成することができるものである。尚、間仕切り装置２の上端の仕切り棚ユニット１ａは保温保冷庫３の天井面に取り付けてあり、下端の仕切り棚ユニット１ｂは保温保冷庫３の床面に取り付けてある。
【００２７】
図１は間仕切り装置２の上下に隣合う仕切り棚ユニット１，１間に食品トレー６を差し込んで、保温保冷庫３内に食品トレー６を収容した状態を示すものである。食品トレー６は一側部が保温を必要とする食品を並べる保温食品部６ａ、他方の一側部が保冷を必要とする食品を並べる保冷食品部６ｂとなっており、保温食品部６ａと保冷食品部６ｂの境界において食品トレー６の下面に凹溝部６７が形成してある。そしてこの凹溝部６７を仕切り棚ユニット１の位置決め突条４４に嵌め合わせた状態で上下の仕切り棚ユニット１，１間に差し込むことによって、保温食品部６ａを保温室４内に、保冷食品部６ｂを保冷室５内にそれぞれ位置させた状態で、食品トレー６を保温保冷庫３内に収容することができるものである。このとき、食品トレー６の保温食品部６ａや保冷食品部６ｂが、仕切り棚ユニット１の横板４１及び支持バー７の上に乗ることによって、食品トレー６を安定して支持することができるようにしてある。
【００２８】
ここで、食品トレー６は保温食品部６ａの幅が広く保冷食品部６ｂの幅が狭いものなど、保温食品部６ａの幅や保冷食品部６ｂの幅が異なる各種のものがあり、保温食品部６ａが収容される保温室４内の幅と保冷食品部６ｂが収容される保冷室５の幅は、保温食品部６ａの幅と保冷食品部６ｂの幅に応じて設定する必要がある。そしてこの保温室４内の幅と保冷室５の幅は、保温保冷庫３内での間仕切り装置２の位置によって決まるものであり、つまり仕切り棚ユニット１の一方の側方への支持バー７の突出寸法と、他方の側方への支持バー７の突出寸法によって決まることになる。従って、上下複数段の各仕切り棚ユニット１において、一方の側方と他方の側方への突出寸法がそれぞれ同じになるように仕切り棚ユニット１に支持バー７を挿通して取り付ける必要がある。そこで上記のように、支持バー７の位置決め穴１６に止めピン１７を差し込んで仕切り棚ユニット１にこの止めピン１７を係止させることによって、仕切り棚ユニット１の一方の側方と他方の側方に突出する寸法が所定寸法になるように位置決めした状態で、仕切り棚ユニット１に支持バー７を取り付けることができるようにしてある。
【００２９】
【発明の効果】
上記のように本発明の請求項１に係る配膳車の間仕切り装置は、仕切り棚ユニットを上下複数段連ねて形成される間仕切り装置で保温保冷庫内を保温室と保冷室とに左右に仕切り、食品トレーを上下に隣合う仕切り棚ユニット間に抜き差し自在に差し込むと共に食品トレーの左右の一方の側部を保温室内に他方の側部を保冷室内に位置させて、食品トレーを保温保冷庫内に収容するようにした配膳車において、仕切り棚ユニットの両側に突出させて支持バーを設けると共に支持バーの各先端部にサイドバーを取り付け、サイドバーに弾性的に変位自在な係合凸部を設け、上方へ開口する受け溝を有すると共に受け溝の内側面に開口する係合穴を設けて形成される受け具を、保温保冷庫の保温室側の内壁と保冷室側の内壁にそれぞれ取り付け、上記のサイドバーを受け具の受け溝に挿入すると共に係合穴に係合凸部を脱着自在に弾性的に係合させることによって、サイドバー及び支持バーを介して受け具で仕切り棚ユニットを支持するようにしたので、受け具の受け溝にサイドバーを挿入して係合穴に係合凸部を係合させることによって、保温保冷庫の内壁の受け具にサイドバーを固定することができ、ビス止めを行なう必要なく支持バーを介して仕切り棚ユニットを受け具で支持して取り付けることができるものであり、しかも挿入や係合の操作で仕切り棚ユニットの取り付けの作業を容易に行なうことができると共に、係合穴への係合凸部の係合によってサイドバーが受け具から外れることを確実に防止して、仕切り棚ユニットを強固に取り付けることができるものである。
【００３０】
また請求項２の発明は、請求項１において、連結バーの両端部にそれぞれ係合具を取り付けてサイドバーを形成し、係合具の側面に上記係合凸部を設けると共に結合用凸部を突設し、仕切り棚ユニットに設けられた上記支持バーをパイプで形成すると共に、結合用凸部を支持バーの先端部の開口内に差し込んで結合することによって、支持バーの先端部にサイドバーを取り付けるようにしたので、サイドバーの係合具に設けた結合用凸部をパイプで形成した支持バーの先端の開口に差し込むという作業で、ネジ止めを行なう必要なく、サイドバーの組み付けを容易に行なうことができるものである。
【００３１】
また請求項３の発明は、請求項１又は２において、支持バーに位置決め孔を設け、支持バーを仕切り棚ユニットに左右に挿通すると共に位置決め孔に止めピンを差し込み、止めピンを仕切り棚ユニットに係止させることによって支持バーを仕切り棚ユニットに固定するようにしたので、仕切り棚ユニットの一方の側方と他方の側方に突出する寸法が所定寸法になるように位置決めした状態で、仕切り棚ユニットに支持バーを正確に取り付けることができるものである。
【図面の簡単な説明】
【図１】本発明の実施の形態の一例の保温保冷庫の部分を示す正面図である。
【図２】同上の保温保冷庫の部分を示す正面図である。
【図３】同上の仕切り棚ユニットの正面図である。
【図４】同上の止めピンを示すものであり、（ａ）は斜視図、（ｂ）は一部を破断した正面図である。
【図５】同上の止めピンの装着状態を示す、仕切り棚ユニットを裏返した状態の一部の斜視図である。
【図６】同上のサイドバーを示すものであり、（ａ）は斜視図、（ｂ）は正面図である。
【図７】同上のサイドバーを示すものであり、（ａ）は一部破断した分解斜視図、（ｂ）は一部の断面図である。
【図８】同上の受け具の斜視図である。
【図９】同上の受け具へのサイドバーの係合具の取り付け状態を示すものであり、（ａ）は斜視図、（ｂ）は断面図である。
【図１０】配膳車の一例を示す全体の斜視図である。
【図１１】同上の配膳車の扉及び間仕切り装置を外した状態の一部破断した正面図である。
【図１２】従来例を示す保温保冷庫の部分の正面図である。
【符号の説明】
１  仕切り棚ユニット
２  間仕切り装置
３  保温保冷庫
４  保温室
５  保冷室
６  食品トレー
７  支持バー
８  サイドバー
９  係合凸部
１０  受け溝
１１  係合穴
１２  受け具
１３  連結バー
１４  係合具
１５  結合用凸部
１６  位置決め孔
１７  止めピン
【図１】
0003716825.tif 000002
【図２】
0003716825.tif 000003
【図３】
0003716825.tif 000004
【図４】
0003716825.tif 000005
【図５】
0003716825.tif 000006
【図６】
0003716825.tif 000007
【図７】
0003716825.tif 000008
【図８】
0003716825.tif 000009
【図９】
0003716825.tif 000010
【図１０】
0003716825.tif 000011
【図１１】
0003716825.tif 000012
【図１２】
0003716825.tif 000013